(57)【要約】      （修正有）【課題】室外からの空気汚染を隔離できるだけでなく、室内の空気を効果的に浄化可能な隔離式空気清浄機を提供する。【解決手段】隔離式空気清浄機1はハウジング2を備え、ハウジング2の前端21は室外に面し、ハウジング2の後端22は室内に面し、しかもハウジング2の後端22には出風口25及び空気吹き出し口26を形成し、ハウジング2内にはスプレー装置31、フィルター42、送風装置6を設置し、スプレー装置31はハウジング2の前端21面に設置し、下向きの流体カーテンを形成し、フィルター42は流体カーテンとハウジング2の後端22との間に設置し、送風装置6は流体カーテンとフィルター42との間に設置し、これにより送風装置6が運転すると、室外の空気は、ハウジング2前端21から後端22の方向へと進入し、流体カーテン及びフィルター42を経てろ過された後、出風口25より室内へと送り込まれる。【選択図】図１
0003170087.tif 000002
【実用新案登録請求の範囲】
【請求項１】
隔離式空気清浄機は、ハウジング、スプレー装置、フィルター、送風装置からなり、
前記ハウジングは、室外に面した前端及び室内に面した後端を備え、該後端には、出風口、空気吹き出し口を形成し、
前記スプレー装置は、該ハウジング内に設置し、下向きの流体カーテンを発生し、前記ハウジング前端から後端方向へと進入する空気をろ過し、
前記フィルターは、該流体カーテンと該ハウジングの後端との間に設置し、
前記送風装置は、該流体カーテンと該フィルターとの間に設置し、空気を連動し、フィルターを通過させた後、該出風口より室内へと進入させたことを特徴とする隔離式空気清浄機。
【請求項２】
前記スプレー装置は、少なくとも１個のジェットノズル、貯蔵槽、サブマージドモーター、水管からなり、
該各ジェットノズルは、該ハウジングの内部上方に形成し、
該貯蔵槽は、該各ジェットノズルの下方に設置し、
該サブマージドモーターは、該貯蔵槽に設置し、
該水管の両端は、該サブマージドモーター及び該各ジェットノズルにそれぞれ連接したことを特徴とする請求項１に記載の隔離式空気清浄機。
【請求項３】
前記貯蔵槽内には、放射線を吸収可能な物品を設置したことを特徴とする請求項２に記載の隔離式空気清浄機。
【請求項４】
前記放射線を吸収可能な物品は、ゼオライトであることを特徴とする請求項３に記載の隔離式空気清浄機。
【請求項５】
前記フィルターは、0.5μm以上の物質をろ過可能な高効率フィルター（High Efficiency Particulate Arrestor, HEPA）であることを特徴とする請求項１に記載の隔離式空気清浄機。
【請求項６】
前記隔離式空気清浄機はさらに、マイナスイオン発生器を備え、
これにより、該送風装置と該流体カーテンとの間においてマイナスイオンを発生することを特徴とする請求項１に記載の隔離式空気清浄機。
【請求項７】
前記隔離式空気清浄機はさらに、アロマ装置を備え、
これにより、芳香を備える空気を、該フィルターと該ハウジングの後端との間において発生し、さらに該出風口より室内へと進入させたことを特徴とする請求項１に記載の隔離式空気清浄機。
【請求項８】
前記送風装置と該フィルターとの間には、紫外線殺菌ランプを設置したことを特徴とする請求項１に記載の隔離式空気清浄機。
【請求項９】
前記ハウジング内には、第一殼体及び第二殼体を設置し、
前記スプレー装置は、該第一殼体内に収容設置し、該フィルターは、該第二殼体内に収容設置し、
該送風装置は、進気口及び出気口を備え、該進気口は、該殼体の後端と連通し、該出気口は、該第二殼体の前端と連通し、
該ハウジングの前端には、進気開口を形成し、
該空気吹き出し口は、該パイプラインを経由して該流体カーテンの前端に連通し、しかも該パイプラインの出気量は、該進気開口の進気量より大きいことを特徴とする請求項１に記載の隔離式空気清浄機。
【考案の詳細な説明】
【技術分野】
【０００１】
本考案は空気清浄機に関し、特に室外からの空気汚染を隔離できるだけでなく、室内の空気を効果的に浄化可能な隔離式空気清浄機に関する。
【背景技術】
【０００２】
商工業とテクノロジーの進歩に従い、産業も必然的に進歩して行くが、その発展の過程において、一般市民は物質的な需要のみを重視し、環境に対する汚染と破壊を省みることは少ない。
そのため、大自然からしっぺ返しを食らうことになり、人々の生活の質は低下し、今や人類は生存を脅かされるまでになっている。
空気は人類にとって欠くべからざるものである。
【０００３】
しかし、空気は、工業排気、黄砂などの砂埃、さらには放射性埃の汚染を受けており、快適性に著しい悪影響を及ぼしているばかりか、人体に対する傷害をももたらしている。
空気の質が不良である時、人々は一時的に室内に非難し、空調システムにより、室内の空気の汚染量を低い状態に維持する。
【０００４】
しかし、一般のウィンドウエアコンは、室外から空気を取り込むに当たっては、一切のろ過装置を通さない。
また、分離式のエアコンも、完全に室外と隔絶している訳ではない。
このため、人々が室内にいる時間が長くなればなるほど、室内の空気の質は悪化し、室外よりも劣るという事態にさえ陥る。
【０００５】
さらに、放射性埃による汚染について考察する。
一般のウィンドウエアコンと分離式エアコンの空気吹き出し口には、フィルターが設置されており、吹き出される空気をろ過するものが多いが、放射性埃がフィルターに溜まると、放射性埃が室内に入り、放射線はやはり室内の人に対して傷害を及ぼす。
同様の理由で、室内に空気清浄機をおいても、放射線の人体に対する影響を避けることはできない。
本考案は、従来のエアコンの上記した欠点に鑑みてなされたものである。
【先行技術文献】
【特許文献】
【０００６】
【特許文献１】特開２００４−２０００２
【考案の概要】
【考案が解決しようとする課題】
【０００７】
本考案が解決しようとする第１の課題は、空気が室内に入る前に、空気中の汚染物質を排除し、室内の空気の質を良好な状態に確実に保持可能な隔離式空気清浄機を提供することである。
本考案が解決しようとする第２の課題は、室内に正気圧を形成し、これにより汚染された空気の室内への進入を回避可能な隔離式空気清浄機を提供することである。
本考案が解決しようとする第３の課題は、マイナスイオン、紫外線による殺菌により空気を浄化し、アロマ装置により芳香を備えた空気を形成し、室内の空気の質を高めることができる隔離式空気清浄機を提供することである。
【課題を解決するための手段】
【０００８】
上記課題を解決するため、本考案は下記の隔離式空気清浄機を提供する。
隔離式空気清浄機は、ハウジング、スプレー装置、フィルター、送風装置からなり、該ハウジングは、室外に面した前端及び室内に面した後端を備え、該後端には、出風口、空気吹き出し口を形成し、該スプレー装置は、該ハウジング内に設置し、下向きの流体カーテンを発生し、該ハウジング前端から後端方向へと進入する空気をろ過し、該フィルターは、該流体カーテンと該ハウジングの後端との間に設置し、該送風装置は、該流体カーテンと該フィルターとの間に設置し、空気を連動し、フィルターを通過させた後、該出風口より室内へと進入させる。
【０００９】
実施時には、スプレー装置は、少なくとも１個のジェットノズル、貯蔵槽、サブマージドモーター、水管からなり、該各ジェットノズルは、該ハウジングの内部上方に形成し、該貯蔵槽は、該各ジェットノズルの下方に設置し、該サブマージドモーターは、該貯蔵槽に設置し、該水管の両端は、該サブマージドモーター及び該各ジェットノズルにそれぞれ連接する。
【００１０】
また、実施時には、貯蔵槽内には、放射線を吸収可能な物品を設置し、実施時でのフィルターは、0.5μm以上の物質をろ過可能な効率が高いヘパフィルター(High Efficiency Particulate Arrestor, HEPA）で、0.5μm以上の汚染物質をろ過可能な効率が高いヘパフィルターであり、実施時には、さらにマイナスイオン発生器を備え、これにより該送風装置と該流体カーテンとの間においてマイナスイオンを発生し、さらにアロマ装置を備え、芳香を備える空気を、該フィルターと該ハウジング後端との間において形成し、さらに該出風口より室内へと進入させる。
【００１１】
実施時には、本考案の送風装置とフィルターとの間にはさらに、紫外線殺菌ランプを設置し、該ハウジング内には、第一殼体及び第二殼体を設置し、該スプレー装置は、該第一殼体内に収容して設置し、該フィルターは、該第二殼体内に収容して設置し、該送風装置は、進気口及び出気口を備え、該進気口は、該殼体の後端と連通し、該出気口は、該第二殼体の前端と連通し、該ハウジングの前端には、進気開口を形成し、空気吹き出し口は、パイプラインを経由して該流体カーテンの前端に連通し、しかも、該パイプラインの出気量は、該進気開口の進気量より大きい。
【考案の効果】
【００１２】
本考案の隔離式空気清浄機によれば、空気が室内に入る前に、空気中の汚染物を排除するため、室内の空気の質を良好に保つことができる。さらに、室内に正気圧を形成するため、汚染された空気が、他のパイプラインを通って室内に進入しないようにすることができる。また、マイナスイオン、紫外線により殺菌し、アロマ装置により芳香を備えた空気を形成するため、空気を効果的に浄化できる他、室内空気の質を高めることができる。
【００１３】
加えて、空気が室内に入る前に、空気中の大部分の汚染物を排除できるため、フィルターの費用を効果的に節減することができ、放射線シールドを、第二殼体の後端外側に被せて設置するため、放射性埃により放射能汚染を効果的に防止することができる。
【図面の簡単な説明】
【００１４】
【図１】本考案実施例の組合せ断面模式図である。
【図２】本考案実施例の使用状態図である。
【考案を実施するための形態】
【００１５】
以下に図面を参照しながら本考案を実施するための最良の形態について詳細に説明する。
【実施例】
【００１６】
図１に示すように、本考案隔離式空気清浄機1の実施例は、壁面9或いは窓上に設置し、ハウジング2を備え、該ハウジング2内には、第一殼体3、第二殼体4、放射線シールド5、送風装置6を設置する。
【００１７】
前記第一殼体3内には、スプレー装置31及びマイナスイオン発生器39を設置し、該マイナスイオン発生器39は、該スプレー装置31の後端に設置する。
前記第二殼体4内には、紫外線殺菌ランプ41、フィルター42、アロマ装置43を設置し、該紫外線殺菌ランプ41は、該フィルター42の前端に設置し、該アロマ装置43は、該フィルター42の後端に設置する。
【００１８】
前記放射線シールド5は、該第二殼体4の後端外側に被せて設置する。
前記送風装置6は、ブロワブラストで、進気口61及び出気口62を備え、該進気口61と該第一殼体3の後端とは連通し、該出気口62と該第二殼体4の前端とは連通する。
【００１９】
実施時には、該ハウジング2はやや長方体を呈し、室外に面した前端21及び室内に面した後端22を備える。
【００２０】
前記ハウジング2の前端21には、進気開口23を形成し、該進気開口23は、空気パイプライン24を経由して該第一殼体3の前端まで連通する。
該ハウジング2後端22の上半面には、出風口25を形成し、該ハウジング2後端22の下半面には、空気吹き出し口26を形成する。
【００２１】
前記出風口25の前端は、該第二殼体4の後端と連通し、該空気吹き出し口26の前端は、パイプライン27を経由して、該第一殼体3の前端まで延伸し、該空気パイプライン24と連通し、しかもパイプライン27の出気量は、進気開口23の進気量より多い。
【００２２】
前記スプレー装置31は、複数のジェットノズル32、貯蔵槽33、サブマージドモーター34及び水管35を備える。
該各ジェットノズル32は、平板36上に形成し、しかも該平板36は、該第一殼体3の内部上方に位置する。
該貯蔵槽33は、該各ジェットノズル32の正下方に設置する。
【００２３】
該サブマージドモーター34は、該貯蔵槽33内に設置し、しかも該貯蔵槽33内には、放射線を吸収可能な物品を設置する。
実施時には、該放射線を吸収可能な物品は、ゼオライト37である。
【００２４】
前記水管35の上、下両端には、該各ジェットノズル32及び該サブマージドモーター34をそれぞれ連接する。
これにより、該サブマージドモーター34が運転すると、該貯蔵槽33内の水は、該各ジェットノズル32へと送られ、さらに該各ジェットノズル32により下方へと噴出される。
こうして、流体カーテン38を形成（図２参照）し、該ハウジング2前端から後端方向へと進入する空気をろ過し、ゼオライト37を利用し放射線を吸収する。
【００２５】
実施時には、該貯蔵槽33内には、ほこりを吸収可能なスポンジを設置可能で、循環する水流をろ過することができる。
該フィルター42は、0.5μm以上の汚染物質をろ過可能な、高効率ヘパフィルター（High Efficiency Particulate Arrestor, HEPA）である。
【００２６】
これにより、図２に示すように、‘該マイナスイオン発生器39が発生するマイナスイオンは、送風装置6と流体カーテン38との間に形成され、該紫外線殺菌ランプ41は、該送風装置6と該フィルター42との間のエリアに対して、消毒殺菌を行うことができる。
こうして、送風装置6の運転時、室外の空気は、ハウジング2前端の進気開口23より吸入され、流体カーテン38を経て、大部分の汚染された空気をろ過して除去することができる。
続いて、空気は、マイナスイオン、紫外線の殺菌作用及び該フィルター42のろ過を経て、清浄な状態を確保される。
【００２７】
清浄な空気が、該アロマ装置43が形成する芳香空気のエリアを通過すると、芳香を備える空気が、該出風口25より室内に送り込まれ、室内の空気の質を高めることができる。
また、該空気吹き出し口26のパイプライン27の出気量は、該ハウジング2前端の進気開口23の進気量より大きいため、該第一殼体3に進入する前の空気は、ごく一部が室外の空気で、大部分が室内の空気である。
こうして、絶えず循環させることで、室内には正気圧が形成され、汚染された空気が、他のパイプラインを通って室内に入らないようにすることができる。
【００２８】
上記したように、本考案は、以下の長所を備える。
１．本考案では、空気が室内に入る前に、空気中の汚染物を排除するため、室内の空気の質を良好に保つことができる。
２．本考案は、室内に正気圧を形成するため、汚染された空気が、他のパイプラインを通って室内に進入しないようにすることができる。
３．本考案は、マイナスイオン、紫外線により殺菌し、アロマ装置により芳香を備えた空気を形成するため、空気を効果的に浄化できる他、室内空気の質を高めることができる。
４．本考案は、空気が室内に入る前に、空気中の大部分の汚染物を排除できるため、フィルターの費用を効果的に節減することができる。
５．本考案は、放射線シールドを、第二殼体の後端外側に被せて設置するため、放射性埃により放射能汚染を効果的に防止することができる。
【００２９】
上記したように、本考案は予期の目的を確実に達成することができ、室外から侵入する工業排気、砂埃、放射性埃の類の空気汚染を隔離することができるばかりか、室内空気を効果的に浄化し、その質を高めることができる。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
1  隔離式空気清浄機
2  ハウジング
21  前端
22  後端
23  進気開口
24  空気パイプライン
25  出風口
26  空気吹き出し口
27  パイプライン
3  第一殼体
31  スプレー装置
32  ジェットノズル
33  貯蔵槽
34  サブマージドモーター
35  水管
36  平板
37  ゼオライト
38  流体カーテン
39  マイナスイオン発生器
4  第二殼体
41  紫外線殺菌ランプ
42  フィルター
43  アロマ装置
5  放射線シールド
6  送風装置
61  進気口
62  出気口
9  壁面
【図１】
0003170087.tif 000003
【図２】
0003170087.tif 000004